(57)【要約】房形成機械は、ゲートおよびフックを有するフック装置を含む。このフック装置は、ゲートおよびアクチュエータに接続されるコネクターを有する。このアクチュエータは、コネクターおよびゲートの両方を移動するために作動され得る。アクチュエータの出力シャフトを房形成機械のゲートに連結するためのコネクターは、アクチュエータの出力シャフトに連結される形態のアクチュエータコネクター部分、軸方向を横断する方向に沿ってこのアクチュエータコネクター部分から上方に延びる伸長部分、およびこの伸長部分から延び、かつ上記房形成機械のゲートに係合するような形態のゲートコネクタースロットを備え、このゲートコネクタースロットは、このゲートコネクタースロットに連結されたゲートの部分の側方面に沿って延びる側方壁を含む。
2007512451.tif 000002
【特許請求の範囲】
【請求項１】
アクチュエータの出力シャフトを房形成機械のゲートに連結するためのコネクターであって、
アクチュエータの出力シャフトに連結される形態のアクチュエータコネクター部分、軸方向を横断する方向に沿って該アクチュエータコネクター部分から上方に延びる伸長部分、および該伸長部分から延び、かつ該房形成機械のゲートに係合するような形態のゲートコネクタースロットを備え、該ゲートコネクタースロットが、該ゲートコネクタースロットに連結されたゲートの部分の側方側面に沿って延びる側方壁を含む、コネクター。
【請求項２】
前記コネクタースロットが、前記ゲートコネクタースロットに連結されたゲートの部分を収容する前記側方壁の間に凹部をさらに備える、請求項１に記載のコネクター。
【請求項３】
前記側方壁が、前記ゲートの長軸の周りのゲートの回転を防ぎ、かつ前記コネクターに対する該ゲートの実質的に側方運動を防ぐ、請求項１に記載のコネクター。
【請求項４】
前記コネクターが、実質的にプラスチックから作製される、請求項２に記載のコネクター。
【請求項５】
前記ゲートの長軸の部分が、前記側方壁の部分の間に配置される、請求項２に記載のコネクター。
【請求項６】
前記ゲートコネクタースロットが、前記ゲートの幅より約０．００３インチ未満のより大きな幅を有する、請求項１に記載のコネクター。
【請求項７】
前記ゲートコネクタースロットが、前記ゲートの幅より約０．００１インチ大きい幅を有する、請求項１に記載のコネクター。
【請求項８】
前記ゲートコネクタースロットがノッチ部分および凹部を備え、前記ゲートがノッチおよびコネクターゲート部分を備え、該ゲートのノッチが該ノッチ部分を収容し、そして該コネクターゲート部分該凹部内にある、請求項１に記載のコネクター。
【請求項９】
房形成機械のためのフック取り付け配列物であって：
少なくとも第１および第２のフックを強固に支持し、そして該個々の第１および第２のフックに隣接する少なくとも第１および第２のゲートを滑動可能に支持するフックブロック；
第１および第２の垂直方向にオフセットされた行に各々配置された少なくとも第１および第２のアクチュエータを支持するアクチュエータブロック；
該第１のアクチュエータの出力シャフトに連結された第１のアクチュエータコネクター部分、該第１のアクチュエータコネクター部分から上方に延びる第１の伸長部分および該第１の伸長部分から延びる第１のゲートコネクタースロットを備える第１のコネクター；および
該第２のアクチュエータの出力シャフトに連結された第２のアクチュエータコネクター部分、該第２のアクチュエータコネクター部分から下方に延びる第２の伸長部分および該第２の伸長部分から延びる第２のゲートコネクタースロットを備える第２のコネクター；
該第１および第２のコネクターを軸方向に往復して駆動するような形態にある第１および第２のアクチュエータを備え、ここで、該第１および第２のアクチュエータコネクター部分が、該第１および第２のアクチュエータの出力シャフトに十分な剛直性で各々接続され、該第１および第２のコネクターのほぼ水平な軸の周りの回転を防ぐ、フック取り付け配列物。
【請求項１０】
前記コネクターの少なくとも１つが、約０．７５〜１インチの範囲にある長さを有する、請求項９に記載のフック取り付け配列物。
【請求項１１】
前記第１の伸長部分の部分および前記第２の伸長部分の部分が、前記ゲートの幅より小さい距離だけ分離されている、請求項１０に記載のフック取り付け配列物。
【請求項１２】
前記第１および第２のゲートコネクタースロットが、スロットを形成する一対の壁を備え、該スロットの各々が、房形成ゲートを、該一対の壁が前記ゲートの該ゲートの長軸の周りの実質的な回転を防ぎ、かつ該ゲートの該第１および第２のゲートコネクタースロットに対する実質的な側方移動を防ぐような形態である、請求項９に記載のフック取り付け配列物。
【請求項１３】
前記ゲートの長軸の周りの該ゲートの回転および前記コネクターに対する該ゲートの実質的な側方移動の両方を防ぐために、前記第１および第２のコネクターに接触するさらなるガイドがない、請求項１２に記載のフック取り付け配列物。
【請求項１４】
房形成機械のためのフック取り付け配列物であって：
少なくとも第１および第２のフックを強固に支持し、そして該個々の第１および第２のフックに隣接する少なくとも第１および第２のゲートを滑動可能に支持するフック；
第１および第２の垂直方向にオフセットされた行に各々配置された少なくとも第１および第２のアクチュエータを支持するアクチュエータブロック；
該第１のアクチュエータの出力シャフトに連結された第１のアクチュエータコネクター部分、該第１のアクチュエータコネクター部分から垂直に上方に延びる第１の伸長部分および該第１の伸長部分から延びる第１のゲートコネクタースロットを備える第１のコネクターであって、該第１のゲートコネクタースロットが、該第１のゲートの２つの側方側面に隣接して延びる側方壁を含む第１のコネクター；および
該第２のアクチュエータの出力シャフトに連結された第２のアクチュエータコネクター部分、該第２のアクチュエータコネクター部分から下方に延びる第２の伸長部分および該第２の伸長部分から延びる第２のゲートコネクタースロットを備える第２のコネクターであって、該第２のゲートコネクタースロットが、該第２のゲートの２つの側方側面に隣接して延びる側方壁を含む第２のコネクター；
該第１および第２のコネクターを軸方向に往復して駆動するような形態にある第１および第２のアクチュエータを備え、ここで、該第１および第２のアクチュエータコネクター部分が、該第１および第２のコネクターを軸方向に案内するために該第１および第２のコネクターに接触するさらなるガイドがない、フック取り付け配列物。
【請求項１５】
前記第１および第２のアクチユエータコネクター部分が、前記第１および第２のアクチュエータの出力シャフトに十分な剛直性で各々接続され、該第１および第２のコネクターのほぼ水平方向の軸の周りの回転を防ぐ、請求項１３に記載のフック取り付け配列物。
【請求項１６】
少なくとも１つの前記コネクターが、前記個々のゲートの幅より約０．００２インチ未満だけより大きい幅をもつゲートコネクタースロットを有し、そして約０．０７５インチ〜１インチの範囲の軸方向の方向にある長さを有する、請求項１５に記載のフック取り付け配列物。
【請求項１７】
房形成機械を製造する方法であって、
カーペットに適した織物を供給方向に供給するための織物供給アセンブリを提供する工程、該供給方向を横切るニードル方向に沿って往復動作のためのニードルのアレイを取り付ける工程、該ニードル方向を横切るフック方向に往復動作のためのフックアセンブリを取り付ける工程、該フックアセンブリ上の複数のフックを該ニードルと整列する工程、該フックに対する往復運動のために複数のゲートを該複数のフックと整列して取り付ける工程、アクチュエータのアレイを該複数のゲートと整列して取り付ける工程、該アクチュエータを該ゲートに、複数のコネクターが該アクチュエータに強固に取り付けられて連結する工程、該アクチュエータから該フック方向を横切る方向に該ゲートの端部まで延びる伸長部分を有する工程、および該ゲートの端部の側方側面に沿って延びる一対の側方壁を有する工程、を包含する、方法。
【発明の詳細な説明】
【技術分野】
【０００１】
（発明の背景）
（発明の分野）
本発明は房形成機械（ｔｕｆｔｉｎｇ  ｍａｃｈｉｎｅ）、そしてより詳細には、房形成機械のための改良されたゲートアセンブリに関する。
【背景技術】
【０００２】
（関連技術の説明）
房形成機械は、カーペット製造のような、房状になったパイル織物を製造するために広く用いられている。多くのこのような房形成機械は、ループを生成するためのフックおよびゲート機構を含む。
【０００３】
房形成機械は、複数のヤーン（ｙａｒｎ）を保持するニードルを有する。操作の間に、ヤーンを保持するニードルの部分は、重い織物を通過し、この織物の下にヤーンのループを形成する。フック機構は、この織物の下に位置決めされるルーパーまたはフックを有し、そしてヤーンのループを捕獲するために揺動し、その結果、ニードルがこの織物から引き抜かれるとき、このループは、織物の下に保持され、ループのパイル（ｐｉｌｅ）を形成する。多くの房形成機械は、数百のこれらフックを有し、これらは、代表的には、織物の全体の幅に亘る１つ以上の行に整列される。
【０００４】
特定の房形成機械は、ループを切断して切断パイルを形成するために選択的に作動され得るナイフ、およびヤーンのループがナイフによって切断されるから否かを制御するために伸長され得るゲートを含む。従来の房形成機械は、数百のゲートを有し、これらゲートの各々は、フックの１つの下に位置決めされる。ヤーンがフックからゲートまたはナイフのいずかにより放出された後、織物は、ヤーンを保持するニードルが次のステップのループを生成し得るように進行され得る。従って、この房形成機械は、ループおよび切断パイルの両方を選択的に生成し得る。
【発明の開示】
【発明が解決しようとする課題】
【０００５】
房形成機械は、ゲートにカップルされるコネクターを有する。空気シリンダーがコネクターにカップルされ、そしてコネクターおよびゲートの両方を移動するために作動される。この空気シリンダーの作動に起因して、コネクターおよびゲートは、磨耗、疲労、および故障を特に被り易い。
【０００６】
このフック装置が故障するとき、房形成機械は修復のために停止される。例えば、コネクターおよびゲートはカップルされなくなり得、ゲートの故障を生じる。適正に延びないことによりゲートが故障する場合、パイルのループは、フックから放出されず、傷のある織物の生産を生じる。オペレーターは、手動で、コネクターをゲートに再連結する。
【課題を解決するための手段】
【０００７】
（発明の要旨）
本発明の１つの実施形態によれば、コネクターは、アクチュエータの出力シャフトを房形成機械のゲートに連結し得る。このコネクターは、アクチュエータの出力シャフトに連結される形態のアクチュエータコネクター部分を備える。伸長部分は、軸方向を横断する方向に沿ってこのアクチュエータコネクター部分から上方に延び、そしてゲートコネクタースロットは、この伸長部分から延び、そして上記房形成機械のゲートに係合するような形態である。このゲートコネクタースロットは、このゲートコネクタースロットに連結されたゲートの部分の側方側面に沿って延びる側方壁を含む。
【０００８】
別の実施形態では、房形成機械のためのフック取り付け配列物は、少なくとも第１および第２のフックを強固に支持し、そしてこの個々の第１および第２のフックに隣接する少なくとも第１および第２のゲートを滑動可能に支持するフックブロックを備える。アクチュエータブロックは、第１および第２の垂直方向にオフセットされた行に各々配置された少なくとも第１および第２のアクチュエータを支持する。第１のコネクターは、上記第１のアクチュエータの出力シャフトに連結された第１のアクチュエータコネクター部分、この第１のアクチュエータコネクター部分から上方に延びる第１の伸長部分およびこの第１の伸長部分から延びる第１のゲートコネクタースロットを備える。第２のコネクターは、上記第２のアクチュエータの出力シャフトに連結された第２のアクチュエータコネクター部分、この第２のアクチュエータコネクター部分から垂直方向に下方に延びる第２の伸長部分およびこの第２の伸長部分から延びる第２のゲートコネクタースロットを備える。この第１および第２のアクチュエータは、上記第１および第２のコネクターを軸方向に往復して駆動するような形態にあり、ここで、この第１および第２のアクチュエータコネクター部分は、上記第１および第２のアクチュエータの出力シャフトに十分な剛直性で各々連結され、この第１および第２のコネクターのほぼ水平な軸の周りの回転を防ぐ。
【０００９】
別の実施形態では、房形成機械のためのフック取り付け配列物は、少なくとも第１および第２のフックを強固に支持し、そしてこの個々の第１および第２のフックに隣接する少なくとも第１および第２のゲートを滑動可能に支持するフック支持体を備える。アクチュエータブロックは、第１および第２の垂直方向にオフセットされた行に各々配置された少なくとも第１および第２のアクチュエータを支持する。第１のコネクターは、この第１のアクチュエータの出力シャフトに連結された第１のアクチュエータコネクター部分、この第１のアクチュエータコネクター部分から垂直方向に上方に延びる第１の伸長部分およびこの第１の伸長部分から延びる第１のゲートコネクタースロットを備える第１のゲートコネクターであって、該第１のゲートコネクタースロットが、上記第１のゲートの２つの側方側面に隣接して延びる側方壁を含む。第２のコネクターは、上記第２のアクチュエータの出力シャフトに連結された第２のアクチュエータコネクター部分、この第２のアクチュエータコネクター部分から垂直に下方に延びる第２の伸長部分およびこの第２の伸長部分から延びる第２のゲートコネクタースロットを備え、この第２のゲートコネクタースロットは、この第２のゲートの２つの側方側面に隣接して延びる側方壁を含む。この第１および第２のアクチュエータは、第１および第２のコネクターを軸方向に往復して駆動するような形態にあり、ここで、この第１および第２のコネクターを軸方向に案内するためにこの第１および第２のコネクターに接触するさらなるガイドはない。
【００１０】
別の実施形態では、房形成機械を製造する方法は、カーペットに適した織物を供給方向に供給するための織物供給アセンブリを提供する工程、この供給方向を横切るニードル方向に沿って往復動作のためのニードルのアレイを取り付ける工程、このニードル方向を横切るフック方向に往復動作のためのフックアセンブリを取り付ける工程、このフックアセンブリ上の複数のフックをこのニードルと整列する工程、このフックに対する往復運動のために複数のゲートをこの複数のフックと整列して取り付ける工程、アクチュエータのアレイをこの複数のゲートと整列して取り付ける工程、このアクチュエータをこのゲートに、複数のコネクターが上記アクチュエータに強固に取り付けられて連結する工程、このアクチュエータから上記フック方向を横切る方向に上記ゲートの端部まで延びる伸長部分を有する工程、および上記ゲートの端部の側方側面に沿って延びる一対の側方壁を有する工程、を包含する。
【発明を実施するための最良の形態】
【００１１】
（好ましい実施形態の詳細な説明）
図１を参照して、フック装置１０を備えた公知の房形成機械８の全体の形態が示され、本発明の使用の好ましい環境の読者の理解を支援する。この房形成機械８は、協調システムを参照して説明され、ここで、この機械８の長軸方向寸法は、ほぼ水平の方向に、そしてヤーンが機械８を通って供給される方向を横切って延びる。さらに、相対的高さは、この機械８の下面に関する上昇として表現される。
【００１２】
一般に、この機械８は、フレームアセンブリ１２、ニードルヘッドアセンブリ１４、ヤーン入口１６、ヤーン供給アセンブリ１８、およびヤーン出口アセンブリ２０を含む。図示される機械８では、上記入口１６、ヤーン供給アセンブリ１８、および出口２０は、この房形成機械８のスクロール付属物を規定する。ヘッド１４、入口１６、供給アンセブリ１８、および出口２０は、フレーム１２によって支持される。このフレーム１２は、多くの負荷支持部材、ブラケット、およびヘッド１４を支持するための脚、入口１６、供給ローラーアセンブリ１８、および出口２０を含む。
【００１３】
入口１６、供給アセンブリ１８、および出口２０は、複数のヤーンストランドを、ヤーン供給（示さず）からニードルヘッド１４まで案内するための形態である。図１に示されるヤーンストランドＹ１、Ｙ２は、各々が、上記ヤーン供給から供給されるヤーンストランドのアレイを表す。ヤーンストランドＹ１、Ｙ２のアレイは、当該技術分野で公知のように、この機械８の長軸長さに沿って交互するように絡み合わされる。
【００１４】
入口１６は、テンショナ２２およびストランドガイド２４を含む。このテンショナ２２は、互いに対して回転し得、ヤーンストランドＹ１、Ｙ２中の張力を調節する一対のガイドロッド２６、２８を含む。このヤーンガイド２４は、ヤーンストランドＹ１を、ヤーンストランドＹ２から分離する。
【００１５】
供給アセンブリ１８は、第１の駆動ローラーアセンブリ３０および第２の駆動アセンブリ３２を含む。この第１の駆動ローラーアセンブリ３０は、ヤーンストランドＹ２の供給を制御するような形態とされる。この第２の駆動アセンブリ３２は、ヤーンストランドＹ１の供給を制御するような形態とされる。
【００１６】
出口２０は、ニップローラーアセンブリ３４およびジェーカー３６を含む。このニップローラーアセンブリ３４およびジェーカー３６の構築および操作は、当該技術分野では公知であり、そしてこれ以上は説明しない。
【００１７】
ニードルヘッド１４は、ヘッド１４内に往復運動するように取り付けられている複数の間隔を置いて配置されたプッシュロッド３８を含む。ニードルバー４０は、このプッシュロッド３８の下端部に取り付けられる。このニードルバー４０（側面立面図のみで示される）は、機械８に供給されている織物の全体の幅に亘って延びる。従って、例えば、１５フィート長のニードルバー４０を有する機械は、１５フィート幅のカーペットの連続ストリームを出力し得る。
【００１８】
このニードルバー１４は、少なくとも１つのニードルの行を支持する。図示される実施形態では、このニードルバーは、２つの行のニードル４２、４４を支持する。これらニードル４２、４４は、プッシュロッド３８およびニードルバー４０とともに、上下に往復運動する。ヤーンストランドＹ１、Ｙ２は、機械８中で、上部供給ローラーアセンブリ３０がヤーンストランドＹ１のニードル４２への供給を制御し、そして下部供給ローラーアセンブリ３２がヤーンストランドＹ２のニードル４４への供給速度を制御するように整列される。このニードル４２、４４は、ヘッド１４の下に取り付けられたフック装置１０とともに従来様式で協働し、織物５２を処理し、これは、織物供給構造４５によって供給されおよび支持されている。
【００１９】
この織物供給構造４５は、複数の入力ローラー４７、支持ベース４９、支持プレート５１、５３、および複数の出力ローラー５５を含む。
【００２０】
この入力ローラー４７は、織物５２を機械８に供給するために回転し得る。この入力ロローラー４７の回転速度は、織物５２の対応する供給速度に対して変動され得る。当業者は、この織物５２の供給速度が、異なるタイプの房状パイル織物を生成するとき、変動され得ることを認識する。
【００２１】
支持ベース４９は、支持プレート５１の底にカップルされ、そして支持プレート５１を支持する。この支持プレート５１は、カーペット製品の裏打ちを形成する織物５２を支持するような形態である。この織物５２は、入力ローラー４７から、そして支持体５１の上表面を横切り、フック装置１０と協働するような形態である往復運動ニードル４２、４４に供給され得る。ニードル４２、４４の部分は、ヤーンストランドＹ１、Ｙ２を保持し、そして織物５２を通過して、織物５２の下にヤーンのループを形成する。ニードル４２、４４の部分、およびヤーンストランドＹ１、Ｙ２が、装置１０に向かって織物５２を通過するとき、支持プレート５１は、織物５２の装置１０に向かう方向の動きを制限する。
【００２２】
この支持プレート５３はまた、この織物５２に対する支持を提供するような形態である。織物５２は、出力ローラー５５に向かって支持プレート５３の上表面を横切って通過し得る。出力ローラー５５は、機械８によって処理された織物５２を受容するような形態である。
【００２３】
図１および図１Ａを参照して、公知のフック装置１０は、スロットをもつモジュール６０内に取り付けられている、複数のルーパーまたはフック５８および複数のゲート５６を含む。このフック装置１０は、フレーム１２に対して、ニードルバー４０にほぼ平行に延びる回動軸の周りを回動するように、回動可能に取り付けられる。アクチュエータ（図示せず）は、この装置１０を、所望のタイミングに従って、矢印Ｐの方向に沿って回動軸の周りを往復運動するように駆動する。
【００２４】
図１では、１つだけのフック５８が示されているけれども、このフック装置１０は、ニードルバー４０の各ニードル４２、４４について１つのフック５８を含む。さらに、示されてはいないけれども、これらニードルが２つの行で整列される場合、異なる長さのフックが、第１の長さのフックがニードル４２と整列され、そして他のフックがニードル４４と整列されるような交互の様式で取り付けられ得る。
【００２５】
各フック５８は、ニードル４２、４４の遠位端が織物５２を通過するとき、ヤーンストランドＹ１、Ｙ２から形成されたループに侵入し、そしてそれを捕獲するためのサイズおよび形状のひさし（ｂｉｌｌ）６４を有する。これらフック５８は、ニードル４２、４４と、ヤーンストランドＹ１、Ｙ２との間を通過することによりループを捕らえ得、それによって、ヤーンストランドＹ１、Ｙ２から形成されたループを通過する。
【００２６】
ゲート５６は、閉鎖位置のとき、フック５８からヤーンＹ１、Ｙ２のループを放出するような形態であり、パイルループを形成する。例えば、ゲート５６が閉鎖され、そしてこのアセンブリ１０がニードル４２、４４から離れて回動するとき、ヤーンのループは、最初、フック５８により捕捉され、そしてゲート５６が開放され、それによって、無傷のループが残される。
【００２７】
ゲート５６の動きは、ゲート５６により作動可能に制御されるアクチュエータにより制御される。これらゲート５６は、コネクターアセンブリ７２のノッチ端部７０にカップルされるノッチ端部６８を有する。これらゲート５６は、モジュール６０中に形成されるスロット５７と滑動可能に取り付けられ、フックのひさし６４を開閉する。ゲート５６のノッチのある端部５８は、コネクターアセンブリ７２に連結される。
【００２８】
コネクターアセンブリ７２は、コネクター７４とブロック７６とを含む。このコネクターアセンブリ７２は、ゲート５６と、および空気シリンダー７８にカップルする。この装置１０は、複数のコネクターアセンブリ７２を有し得、各コネクターアセンブリ７２はゲート５６の１つに対応する。
【００２９】
コネクター７４は、ブロック端部７３およびノッチ端部７０を含む。ブロック端部７３は、ブロック７６中のピン８２と係合するスロット８１を有する。ノッチ端部７０は、ゲート５６のノッチ端部６８を係合する形態である。このブロック７６は、個々の空気シリンダー７８の出力ロッド８３にカップルされる。
【００３０】
この空気シリンダーは、互いから水平方向にオフセットされる４つのきちんと間隔を置いて配置される４つの行で取り付けられ、シリンダー７８はシリンダー支持フレーム８０中に支持される。各空気シリンダー７８は、コネクターアセンブリ７２およびゲート５６を移動するために、対応する出力ロッド８３を移動する。
【００３１】
上記に記載のように、コネクター７４およびゲート５６は、ノッチのある端部６８、７０の係合を通じて互いを係合する。端部６８、７０の適正な整列を維持するため、かつ、端部６８、７０が互いに対して側方に移動しないことを確実にするために、コーム５９が、モジュール６０とブロック７６との間に配置される。このコームは、モジュール６０中のスロット６０と整列し、そしてそれとほぼ同じ幅を有する、複数の上方に開口するチャネルを含む。従って、ノッチのある端部６８、７０は、このコーム５９のチャネル内で往復運動し得、それによって、これらチャネルは、端部６８、７０の適正な側方整列を維持する。このコーム５９のチャネルは上方に開口するので、これらコネクター７２は、チャネルから垂直方向に持ち上げられることにより、コーム５９から除去され得る。
【００３２】
カバー部材９６はフレーム８０に接続される。このカバー部材９６は、フック装置１０を、この装置１０が稼動する環境中に存在する糸屑から保護する。さらに、このカバー部材９６は、コネクター７２がコーム５９の開口チャネルから上方に不注意に滑動することを防ぐ。
【００３３】
図１Ａを続いて参照し、取り付けブラケットアセンブリ８４は、取り付けバー８５、支持部材８６、およびシリンダー支持フレーム８０を含む。この取り付けバー８５は、支持部材８６に、それらの間のスペーサー部材８８により連結され得る。この支持部材８６は、次いで、別のスペーサー部材９０によってシリンダー支持フレーム８０に連結される。
【００３４】
取り付けブラケットアセンブリ８４は、示されていない揺動アームに連結され、これは、取り付けブラケットアセンブリ８４を、当該分野で公知のように、矢印Ｐに沿った回動運動で揺動させる。例えば、ヤーンのループが織物５２の下で形成された後、フック装置１０は、ニードル４２、４４に向かって回動され得、その結果、フック５８は、ヤーンストランドと対応するニードルとの間を通過し、それによって、ヤーンを捕獲または得る。この対応するニードルは、次いで、上方に退却され、ヤーンをフックに対して所望の張力で引く。ニードル４２、４４がこの織物５２の上に移動された後、フック装置１０は、所望のタイミングでループから離れて回動され、それによってヤーンのループを残す。
【００３５】
ループを切断することが所望されるとき、適切なシリンダー７８が作動されてゲート５６を開放位置に退却し、それによってゲート５６のひさし６４を剥き出す。ひさし６４を剥き出して、ヤーンストランドは、ひさし６４のテーパー状の部分に対して引かれ得、次いでナイフ（示さず）で切断する。
【００３６】
このプロセスは、高速度で繰り返され得、房状のパイル織物を形成する。さらに、各ゲート５６は選択的に作動され得、その結果、任意の個々のループが切断または全体は残され得る。
【００３７】
このフック装置１０と取り付けブラケットアセンブリ８４は、一緒に揺動し、そして代表的には鋼から作製される。従って、これら要素のすべては鋼から構築されるので、非常に重い質量が揺動されなければならないことが容易に理解され得る。さらに、多くの要素が、製造の間、およびメインテナンスの間のアセンブリを解く、そしてアセンブリの両方の間に、実質的なアセンブリ時間を必要とする。
【００３８】
図２は、好適な実施形態によって構築されたフック装置１１０の部分断面図である。装置１１０の特定部分は、装置１０のそれと類似の様式で構築され得、そしてそれ故、これら部分の説明は繰り返さない。現在の実施形態のフック装置１１０は、フック１１４、ゲート１１６、フックブロック１１８、コネクター１２０、１２２、カバー１２６、アクチュエータブロック１２８、およびアクチュエータ１３０を含む。
【００３９】
フック１１４は、エッジ１３２および１つの端部上のひさし１３４を備える細長い本体である。このエッジ１３２は、フック１１４の下部分によって形成される。
【００４０】
このひさし１３４は、フック１１４の１つの端部に配置され、そしてフック１１４の長軸に対して横方向に延びる。このエッジ１３２およびひさし１３４は、ヤーンストランドＹ１および／またはＹ２によって形成されるループと係合するような形態である。
【００４１】
図２および図３を参照して、ゲート１１６は、先端１４０、エッジ１４２、本体１４４、ノッチ１４８、コネクターゲート端部１５０、および１対の側方側面１５２、１５４を備える。ゲート１１６は、図２に示される矢印Ｇによって示される方向に移動し得る。１つの実施形態では、このゲート１１６は、長軸１５５、および実質的に均一な厚みまたは幅Ｗ１を有し、そして、好ましくは、鋼またはアルミニウムのような金属から形成される。
【００４２】
先端１４０はテーパー状であり、そしてヤーンのループを簡便に通過するようなサイズである。エッジ１４２は湾曲し、そして、閉鎖位置にあるゲート５６とともに、アセンブリ１１０がニードル４２、４４に向かって回動されるとき、ヤーンのループを捕獲または係合する形態であり、そしてアセンブリ１１０がニードル４０、４２から離れて回動するとき、ループが滑動して離れることを可能にする。
【００４３】
ノッチ１４８は、ゲート１１６をコネクター１２２にカップルするような形態である。示される実施形態では、ノッチ１４８は、ゲート１１６のコネクターゲート端部１５０に位置決めされている。このゲート１１６は、コネクターゲート端部１５０およびノッチ１４８が、コネクター１２２と係合するように、フックブロック１１８から後方に延びるようなサイズである。
【００４４】
図２を参照して、このフックブロック１１８は、複数のスロット１５６、上部分１５８、および下部分１６０を含む。このフックブロック１１８は、鋼、アルミニウムのような金属、ハードプラスチックなどから形成され得る。
【００４５】
スロット１５６の各々は、ゲート１１６を、複数のゲート１１６がスロット１５６の長軸の方向に往復運動し得るように取り囲み、かつ滑動可能に係合する。この複数のスロット１５６の各々は、ゲート１１６の１つにより規定される平面に垂直な方向で間隔を置かれ得る。１つの実施形態では、これらスロット１５６の長軸はほぼ平行である。これらスロット１５６は実質的に矩形のプロフィールを有し得、そしてこれらスロット１５６の長軸を横切る方向でゲート１１６の実質的な移動を阻害するような形態である。
【００４６】
フックブロック１１８の上部分１５８は、フック１１４に強固にカップルされ、そしてそれ故、アセンブリ１１０が回動されるとき、フックブロック１１８とフック１１４とは一緒に移動する。下部分１６０は、上部分１５８および支持バー１６４に強固にカップルされ、そしてそれ故、フックブロック１１８および支持バー１６４もまた、一緒に移動する。
【００４７】
支持バー１６４は、スペーサー１６６、取り付けバー１６８、およびアクチュエータブロック１２８を含む。この取り付けバー１６８は、フックブロック１１８およびスペーサー１６６にカップルされる。スペーサー１６６はアクチュエータブロック１２８にカップルされる。この支持バー１６４は、当該技術分野で公知のように、矢印Ｐの方向に往復運動するように回動可能に取り付けられ得、そしてさらには説明しない。好ましくは、このスペーサー１６６は、取り付けバー１６８およびアクチュエータブロック１２８に強固にカップルされる。
【００４８】
図２および図４を参照して、コネクター１２２は、スロット部分１７０、伸長部分１７４、およびアクチュエータコネクター部分１７８を含む。
【００４９】
このスロット部分１７０は、ゲート１１６のコネクターゲート端部１５０にカップルされる。このスロット部分１７０は、伸長部分１７４に連結され、そしてゲートコネクタースロット１８０を規定する。このスロット部分１７０は、ゲート１１６の往復運動およびフック装置１１０の揺動の両方の間に、伸長部分１７４によってコネクターゲート端部１５０にカップルされる。
【００５０】
図４に示されるように、コネクターゲート端部１５０の下部分１８７は、ノッチ部分１８６とコネクター１２２の裏表面１８５との間の凹部１８４内に配置される。従って、この下部分１８７は、一対の壁１８１、１８２間に位置決めされ得る。好ましくは、このノッチ部分１８６および裏表面１８５はこの下部分１８７と係合し、そしてゲート１１６の、コネクター１２２に対してその長軸１５５の方向における実質的な移動を防ぐ。１つの実施形態では、ゲート１１６の長軸１５５の部分は、コネクター１２２がゲート１１６にカップルされるとき、壁１８１、１８２の少なくとも部分の間に配置される。
【００５１】
凹部１８４は、コネクターゲート端部１５０の下部分１８７と係合し得、そしてゲート１１６のノッチ１４８は、コネクター１２２のノッチ部分１８６を受容かつ収容し得る。好ましくは、ノッチ１４８およびノッチ部分１８６は類似の形状を有する。例えば、示される実施形態では、ノッチ１４８の部分およびノッチ部分１８６の部分の両方は、ノッチ１８６がノッチ１４８内で適合するように半球形形状を有する。
【００５２】
伸長部分１７４は、スロット部分１７０およびアクチュエータコネクター部分１７８を連結する。示される実施形態では、ゲート１１６は、伸長部分１７４の長軸に平行でない長軸を有する。１つの実施形態では、この伸長部分１７４は、アクチュエータ１３０の長軸を横断する方向に沿ってアクチュエータコネクター部分１７８から垂直に上方に延びる。示される実施形態では、この伸長部分１７４は、その長軸に沿って変動する実質的に矩形の断面プロフィールを有する。示されてはいないが、この伸長部分１７４は、その長軸に沿ってほぼ均一である断面プロフィールを有し得る。
【００５３】
図４を続いて参照し、コネクター１２２は、出力シャフト１９６の１つの端部を受容する形態である１対の穴２００、２０２を有する。例えば、これらの穴２００、２０２は、ねじ２０４、２０６をそれぞれ有し得、その結果、それらは、出力シャフト（例えば、出力シャフト１９６）にねじによりカップルされ得る。好ましくは、このアクチュエータコネクター部分１７８は、出力シャフト１９６に強固に連結され、この出力シャフト１９６に対するコネクター１２２の回転を阻害する。
【００５４】
有利には、この出力シャフト１９６は、ゲート１１６に対するコネクター１２２の実質的な移動なくして、コネクター１２２およびゲート１１６を移動し得る。従って、出力シャフト１９６間の強固な連結は、コネクター１２２とゲート１１６との間の磨耗を減少し得る。
【００５５】
示される実施形態では、コネクター１２２は、例えば、金属またはプラスチックか形成され得る、単一の本体である。１つの実施形態では、コネクター１２２は、射出成形プロセスによりプラスチックから形成される。
【００５６】
図４Ａに関し、コネクター１２０は、スロット部分２３０、伸長部分１９８、およびアクチュエータコネクター部分１９９を含む。この伸長部分１９８は、スロット部分２３０よびアクチュエータコネクター部分１９９にカップルされる。この伸長部分１９８は、このアクチュエータコネクター部分１９９からスロット部分２３０に垂直に下方に延びる。コネクター１２２、１２０のそれぞれスロット部分１７０、２３０は、図２および図７に示されるように水平方向に整列される。従って、コネクター１２０、１２２のアレイは、きちんとネストされた整列が形成されるように、交互に並んだ関係で配置され得る。
【００５７】
図４および図５を参照して、コネクター１２０のゲートコネクタースロット１８０は、一対の側方壁１８１、１８２、凹部１８４、裏表面１８５、およびノッチ部分１８６を有する。ゲート１１６がコネクター１２２にカップルされるとき、この側方壁１８１、１８２の各々は、ゲート１１６の側方側面１５２、１５４の部分に沿って延びる。
【００５８】
これらの壁１８１、１８２は、それぞれ、間隔を置いて離れ、ゲート１１６の実質的な側方移動を防ぐ内表面１９１、１９２を有する。コネクターゲート端部１５０は、好ましくは、内表面１９１、１９２に垂直な方向のコネクターゲート端部１５０の実質的な移動を阻害するゲートコネクタースロット１８０内に配置される。１つの実施形態では、壁１８１の厚さ、および壁１８２の厚さは実質的に同じである。これらの壁１８１、１８２は、ゲート１１６の長軸の周りのゲート１１６の実質的な回転を防ぐようなサイズであり得る。従って、フックブロック１１８からコネクター１２２まで延びるゲート１１６の部分は、スロット１５６とほぼ整列する。
【００５９】
これらの壁１８１、１８２は、コネクター１２２が、コネクター１２２の構造的一体性を妥協することなく、そしてまたゲート１１６の適正な整列を維持しながら、延長された時間の間、ゲート１１６を往復運動させ得るような形態であり得る。１つの実施形態では、このゲートコネクタースロット１８０は、（図３に示されるように）ゲート１１６の幅Ｗ１より大きい幅Ｗ２を有する。例示の実施形態では、この幅Ｗ２（図５）は、幅Ｗ１より約０．００３インチ未満だけ大きく、そしてより好ましくは幅Ｗ１より約０．００２インチ未満より大きい。例えば、１つの実施形態では、この幅Ｗ２は、幅Ｗ１より約０．００１インチ大きい。有利には、このゲートコネクタースロット１８０は、それが従来のゲートにカップルされ得るような形態であり得る。
【００６０】
多くの公知のコネクターは、鋼のような金属から作製される。ゲートおよびコネクターの往復運動速度は、コネクターの質量に関係する。従って、重いコネクターは、ゲートの低減された往復運動速度を生じ得、房状パイル織物の低減された生産速度を生じる。コネクターの質量を低減するために、公知のコネクターは、金属およびプラスチックから形成されており、そして複雑な多ステッププロセスによって生成され得る。コネクターの金属部分が機械加工され、そして次にプラスチック部分が金属部分に成形される。有利には、このコネクター１２２は、好ましくは、プラスチックを成形することにより形成され、生産コストを低減する。さらに、このプラスチックコネクター１２２は、高速度で往復運動され得る。なぜなら、その質量は、鋼から作製される多くの公知のコネクターより小さいからである。装置１１０のその他のコンポーネントは、アルミニウムのような軽重量材料から作製され得、この装置１１０の回動速度をさらに増加する。
【００６１】
例示の実施形態では、このコネクター１２２は、好ましくは、約０．５インチ〜１．５インチの範囲の（図７に示されるような）長さＬを有し得る。より好ましくは、このコネクター１２２は、好ましくは、約０．７５インチ〜１インチの範囲の長さＬを有し得る。
【００６２】
図５および図６に関し、伸長部分１７４およびスロット部分１７０は実質的に同じ幅Ｗ４を有し、そして１対の表面２１３、２１５を形成する。さらなる利点は、アクチュエータコネクター部分１７８がＷ４より大きい幅Ｗ５を有する場合に提供される。アクチュエータ１３０の出力シャフト１９６は、Ｗ４より大きい直径を有し得る。
【００６３】
有利には、これらコネクターにカップルされるアクチュエータは、互いから水平方向にオフセットされる、４つのきちんと間隔を置いた行で取り付けられる。コネクター１２２は、アクチュエータ１３０の出力シャフト１９６にカップルされ得、その一方、実質的に同一の隣接するコネクターは別の出力シャフトにカップルされる。
【００６４】
例えば、図６に示されるように、上部コネクターおよび下部コネクターの行は、コネクター１２０が、このコネクター１２０に実質的に同一である別のコネクター２１８に隣接して示され、コネクターの上部の行を形成する。コネクター１２２は、このコネクター１２２と実質的に同一である別のコネクター２０８に、コネクターの下部の行を形成するように隣接して配置される。これらのコネクターの上部および下部の行は、説明の目的のためにこの図から取り除かれているアクチュエータブロック１２８により支持される対応するアクチュエータにそれらが取り付けられるときであるように配列される。上記のように、これらコネクター２０８および２１８は、それぞれ、コネクター１２２および１２０に実質的に同一である。しかし、コネクター１２２および１２０のコンポーネントに対応するコネクター２０８および２１８のコンポーネントの説明は、図６を参照して読者の参考のために以下で繰り返される。
【００６５】
図６に示されるように、コネクター１２０のアクチュエータコネクター部分１９０は、コネクター２１８のアクチュエータコネクター部分２１６に隣接している。コネクター２０８のアクチュエータコネクター部分２０７は、コネクター１２２のアクチュエータコネクター部分１７８に隣接している。アクチュエータコネクター部分１９９は、アクチュエータコネクター部分２０７、１７８の上で、かつそれらの間に位置決めされている。アクチュエータコネクター部分１７８は、アクチュエータコネクター部分１９９、２１６の下でかつそれら間に位置決めされている。アクチュエータコネクター部分１９９、２０７、２１６、１７８は、それぞれ、出力シャフト２７６、２６２、２１０、１９６にカップルされている。
【００６６】
さらに、隣接するアクチュエータコネクター部分に連結される出力シャフトは水平方向にオフセットされている。従って、アクチュエータコネクター部分２１６の上部穴とアクチュエータコネクター部分１９９の低部穴は、それぞれ、出力シャフト２１０、２７６に連結されている。同様に、アクチュエータコネクター部分１７８の上部穴とアクチュエータコネクター部分２０７の下部穴は、それぞれ、出力シャフト１９６、２６２に連結されている。
【００６７】
図６および８に示されるように、伸長部分２２８、１９８、１７４、２０９は互いに交互に配置され、その結果、コネクター１２２、１２０、２０８、２１８のそれぞれスロット部分１７０、２３０、２１４、２３２は、ゲート１１６をそれらの個々のスロット１５６と整列するように、横に並んで配置され得る。
【００６８】
例えば、コネクター２１８、１２０は、スロット部分２３２、２３０まで下方に延びる伸長部分２２８、１９８を有する。これらコネクター１２２、２０８は、スロット部分１７０、２１１まで上方に延びる伸長部分１７４、２０９を有する。図７はまた、横に並んで配列されたスロット部分２３０、１７０を有するコネクター１２０および１２２を示す。図８は、実質的に平行に延びるゲート１１６を示す。さらに、出力シャフト１９６、２１０、２６２、２７６は、それらの個々のアクチュエータが４つのきちんと間隔を置いた行にあるような形態である。
【００６９】
図６、８および９を参照して、これらコネクターは、コネクターおよびゲートがカップルされなくなる場合、装置１１０への損傷を防ぐために間隔を置かれ得る。例えば、伸長部分１９８と伸長部分１７４との間の距離Ｗ１０は、好ましくは、ゲート１１６の幅Ｗ１（図３）より小さい。有利には、コネクター１２０およびコネクター１２２の伸長部分は、Ｗ１より小さい距離だけ分離されているので、ゲート１１６は、コネクター１２０、１２２間に適合しないかも知れない。従って、ゲートおよびコネクターがカップルされなくなるとき、ゲートは、コネクター間に捕獲されるようにはならず、そしてそれ故、フック装置１１０の損傷を防ぐ。さらに、隣接するスロット部分は、互いに接触し得、互いの側方移動を制限する。例えば、コネクター１２２のスロット部分１７０は、コネクター２１８のスロット部分２３２およびコネクター１２０のスロット部分２３０と接触し得、コネクター１２０、１２２、２１８の適正な整列を確実にする。さらに、すべてのコネクターは、互いに独立して往復運動し得る。
【００７０】
図８および９を続いて参照して、このフック装置１１０は、コネクター１２０、１２２、２０８、および２１８に連結される複数のゲート１１６を有する。ゲート１１６の各々は、長軸を有し、これらは、フック装置１１０の個々のスロット１５６とほぼ整列される。
【００７１】
その他の房形成機械では、コネクターは、特に、磨耗、疲労、および動揺し易い、なぜなら、コネクターはゲート１１６を固定して保持しないからである。例えば、図１および図１Ａでは、コネクター７４のノッチ端部７０は、ゲート５６のノッチ端部６８にカップルされる。このコネクター７４のブロック端部７３は、ブロック７６のピン８２にカップルされる形態であるスロット８１を有する。このコネクター７４は、代表的には、ゲート５６の厚みよりわずかに大きい厚みを有している。
【００７２】
複数のゲート５６が横に並んで間隔を置いて離れて配置されるので、これらコネクターおよびゲート５６は、互いに対して側方に、ゲート５６のノッチ端部６８およびコネクター７４のノッチ端部７０がカップルしなくなるように移動し得る。従って、上記に記載のように、従来の装置１０は、コーム５９を含み、このような側方相対移動をそのように防ぐ。
【００７３】
スロット部分１７０に側方壁１８１、１８２を含めることにより、従来装置１０のコーム５９は、コネクターゲート端部１５０およびスロット部分１７０の整列を維持する必要はもはやない。さらに、横方向に延びる伸長部分１７４を取り込むことにより、コネクター１２２は、相対的により大きな、しかしより容易に使い易い個々のアクチュエータ１３０、２１２、２７０、２７４とともに用いられ得、これらは、以下により詳細に記載される、４つの異なる行に配列され得る。
【００７４】
図２および９を参照して、カバー１２６は、アクチュエータブロック１２８に連結される１つの端部、および上部分１５８の頂部への端部に連結される他方の端部を有する。このカバー１２６は、この装置１１０が稼動する環境に起因する糸屑からフック装置１１０を保護する。
【００７５】
図６および１０を参照して、アクチュエータブロック１２８は、このアクチュエータブロック１２８を通る複数の穴２６０を含む。図１０は、アクチュエータで部分的に充填されたアクチュエータブロック１２８の部分の図を提供する。
【００７６】
穴２６０は、出力シャフト１９６、２１０、２６２、２７６の各々が、穴２６０を通って個々に往復運動し得るように配列かつ形態とされる。これらの穴２０６は、図１０に示されるように、水平方向にオフセットされ、かつ交互交替的である４つの行で配列される。
【００７７】
穴２０６の各々は、好ましくは、その他の穴２０６の長軸に実質的に平行である長軸を有する。好ましくは、これら出力シャフト１９６、２１０、２６２、２７６の各々は、その他の出力シャフトの長軸に実質的に平行である長軸を有する。示される実施形態では、これら出力シャフト１９６、２１０、２６２、２７６の部分は、穴２６０内に配置され、その一方、シャフト１９６、２１０、２６２、２７６の部分は、アクチュエータブロック１２８の両側面から延びる。１つの実施形態では、これらの穴２６０および出力シャフト１９６、２１０、２６２、２７６は、それらの個々の長軸に沿って一定であるほぼ円形の断面プロフィールを有する。アクチュエータ１２０、２１２、２７４、２７０は、出力シャフト１９６、２１０、２６２、２７６をそれぞれ含む。アクチュエータ１２０、２１２、２７４、２７０は、任意のタイプのアクチュエータであり得、例えば、制限されずに、ソレノイド、水力、または空気力を含む。
【００７８】
図１１を参照して、このアクチュエータ１３０は、出力シャフト１９６、円筒形アクチュエータ本体３００、スプリング３０２、およびカップラー３０４を含む空気力アクチュエータの形態である。このアクチュエータ１３０は、軸方向に長軸を有する。出力シャフト１９６は、それが、出力シャフト１９６の部分３０８が円筒形アクチュエータ本体３００内に配置されながら、アクチュエータコネクター部分１９９にカップルされ得るような形態である端部３０６を有する。
【００７９】
この円筒形アクチュエータ本体３００は、スプリング３０２および出力シャフト１９６の部分３０８を取り囲む。このアクチュエータ本体３００は、カップラー３０４に連結される１つの端部を有する。このアクチュエータ本体３００の他方の端部は開口３１２を有する。出力シャフト１９６の部分３１０は、図１１に示されるように、この開口３１２を通過し得る。従って、この出力シャフト１９６は、円筒形アクチュエータ本体３００内に配置された部分３０８、およびこのアクチュエータ本体３００から延びる部分３１０を有する。
【００８０】
スプリング３０２は、円筒形アクチュエータ本体３００および出力シャフト１９６にカップルされる。スプリング３０２は、出力シャフト１９６を内側に付勢する。
【００８１】
カップラー３０４は、ニップル３１６を有する空気ホースカップラーの形態である。示されてはいないが、空気ホースは、ニップル３１６に付着され得る空気ホースニップルカップラーを有し得、その結果、空気ホースは、カップラー３０４を通り、かつアクチュエータ１３０中に空気を供給し得る。空気は、アクチュエータ１３０中に供給され得、このアクチュエータ１３０内の空気圧を増加し、これは、アクチュエータ本体３００内で出力シャフト１９６に対し外方向の力を提供する。
【００８２】
出力シャフト１９６は、好ましくは、アクチュエータ本体３００の長軸と同軸であり、そしてゲート１１６の長軸と平行であるその長軸を有する。１つの実施形態では、この端部３０６は、コネクターのねじ付き穴とカップルされ得るねじを備える。出力シャフト１９６は、スプリング３０２と空気ホースの協働により往復運動される。出力シャフト１９６は、空気ホースがニップル３１６に付着され、そしてカップラー３０４を通り、かつアクチュエータ本体３００中に、このアクチュエータ本体３００中の空気圧により提供される外方向力がスプリングの付勢より大きいように空気を供給するとき、外方向に付勢される。この出力シャフト１９６が外方に移動するとき、出力シャフト１９６は、コネクター１２２およびゲート１１６を、アクチュエータブロック１２８から離れて移動する。
【００８３】
このスプリングの付勢が、アクチュエータ本体３００中の空気圧によって提供される外方向力より大きいとき、出力シャフト１９６は内側に付勢される。出力シャフト１９６が内側に移動するとき、出力シャフト１９６は、コネクター１２２およびゲート１１６をアクチュエータブロック１２８に向かって移動する。従って、出力シャフト１９６は、出力シャフトを外方向に移動させる空気ホースと、出力シャフト１９６を内側に移動させるスプリングとの協働により往復運動される。
【００８４】
アクチュエータ１３０および出力シャフト１９６は、コネクター１２２が往復運動されるとき、軸方向に対して横断方向のコネクター１２２の移動を実質的に阻害する形態である。従って、房形成プロセスの間、コネクター１２２の軸方向を横断する方向の移動は、従来の房形成機械における軸方向に対する横断方向の既知のコネクターの移動より小さい。なぜなら、アクチュエータ１３０の長さ、および出力シャフト１９６は、多くの公知の空気力シリンダー７８の長さより大きいからである。さらに、多くの公知の房形成機械は、鋼から作製される空気力シリンダー７８を用いる。これらのシリンダーは重く、出力シャフトの低往復運動速度および／または装置１０の低回動速度を生じる。有利には、出力シャフト１９６は、出力シャフト１９６の高往復運動速度を達成するためにアルミニウムから作製され得、そして装置１１０の回動速度を増加し得る。従って、房形成プロセスの速度は増加し得、房状織物のより高い生産速度を生じる。
【００８５】
操作において、例えば、図１のニードル４２のようなニードルの下部分は、ヤーンストランドＹ１と係合され、そして装置１１０に向かって織物５２を通過する。このニードル４２は、ヤーンストランドＹ１の部分を、織物５２を、ヤーンストランドＹ１が織物５２の下部でループを形成するように通過させる。ニードルがこの位置にある間、この装置１１０は、ひさし１３４およびエッジ１３２の部分が、図１および図１Ａの装置１０と実質的に同一の様式でヤーンストランドＹ１によって形成されたループを通過するように回動される。エッジ１３２は、織物５２の下部でヤーンＹ１のループを保持し、その一方、ニードル４２は、装置１１０から離れ、かつ織物５２の上を移動する。ひさし１３４は、特に、ループが切断パイルを形成するためにナイフによって切断されるとき、ヤーンＹ１のループがフック１１４から滑動しないことを確実にし得る。
【００８６】
コネクター１２２が、ゲート１１６をひさし１３４に向かって移動するとき、コネクターゲート端部１５０の下部分１８７は、凹部１８４に、裏表面１８５が下部分１８７と接触しかつ押すように、および／またはノッチ部分１８６がノッチ１４８と接触し、かつひさし１３４に向かって押すように配置される。従って、ゲート１１６は、ひさし１３４に向かって移動される。コネクター１２２がゲート１１６をアクチュエータブロック１２８に向かって移動するとき、下部分１８７は、裏接触表面１８５と接触し、かつ押し、および／またはノッチ１４８と接触し、かつ押し、および／またはノッチ部分１８６は、ノッチ１４８と接触し、かつそれをアクチュエータブロック１２８に向かう方向に押す。従って、ゲート１１６は、アクチュエータブロック１２８に向かって移動される。
【００８７】
本発明の特定の形態を記載してきたが、本発明の思想および範囲から逸脱することなく種々の改変がなされ得ることは明らかである。従って、本発明は、添付の請求項にある他に限定されることは意図されない。
【図面の簡単な説明】
【００８８】
【図１】図１は、フック装置を備えた公知の房形成機械の部分立面図であり、この房形成機械は、２対のヤーンフィーローラー、および対応するセットのヤーンホイールピットマンアームを有する完全な繰り返しスクロール付属物を有する。
【図１Ａ】図１Ａは、図１に示される公知のフック装置の拡大側立面図であり、このフック装置は、複数のゲートおよびフックを有する。
【図２】図２は、ゲートおよびフックをもつフック装置の部分断面図である。
【図３】図３は、図２に示されるゲートの拡大斜視図である。
【図４】図４は、図２に示されるゲートおよびコネクターの拡大立面図であり、コネクターはゲートにカップルしていない。
【図４Ａ】図４Ａは、図２に示されるコネクターの側立面図であり、コネクターはゲートにカップルしていない。
【図５】図５は、図２に示されるコネクターの平面図であり、コネクターはゲートにカップルしていない。
【図６】図６は、複数のコネクターの斜視図であり、これらコネクターの各々は出力ロッドにカップルされている。
【図７】図７は、図４および４Ａに示されるコネクターの側立面図であり、コネクターの各々は、出力ロッドにカップルされている。
【図８】図８は、図２に示されるフック装置の部分の平面図である。
【図９】図９は、図２に示されるフック装置の部分の平面図であり、カバーの部分が示される。
【図１０】図１０は、図２に示されるアクチュエータブロックの部分の斜視図であり、このアクチュエータブロックは、部分的にアクチュエータで充填されている。
【図１１】図１１は、図２に示されるアクチュエータの１つの側立面図であり、このアクチュエータは、出力シャフトを有している。
【図１】
2007512451.tif 000003
【図１Ａ】
2007512451.tif 000004
【図２】
2007512451.tif 000005
【図３】
2007512451.tif 000006
【図４】
2007512451.tif 000007
【図４Ａ】
2007512451.tif 000008
【図５】
2007512451.tif 000009
【図６】
2007512451.tif 000010
【図７】
2007512451.tif 000011
【図８】
2007512451.tif 000012
【図９】
2007512451.tif 000013
【図１０】
2007512451.tif 000014
【図１１】
2007512451.tif 000015
【国際調査報告】
2007512451.tif 000016
2007512451.tif 000017
2007512451.tif 000018